(57)【要約】【課題】  アンテナ特性を組み合わせることにより、異なる周波数帯で使用可能な携帯端末のアンテナ装置を提供する。【解決手段】  ホイップアンテナ１は、接触金具５を介して給電部３と電気的に接続され、伸張時にＵＨＦ帯域以上で共振する。コイル状アンテナ２は、装置基板１０に実装された周波数フィルタ４を介して給電部３と電気的に接続される。周波数フィルタ４は、ＶＨＦ帯域で低いインピーダンスに設定され、コイル状アンテナ２に給電する。この構成により、ＵＨＦ帯域以上では、外部のホイップアンテナ１が励振され、ＶＨＦ帯域では、内蔵されたコイル状アンテナ２が主に励振されることにより、広い周波数帯域で送信または受信を可能とする。【選択図】  図１
2005176302.tif 000002
【特許請求の範囲】
【請求項１】
それぞれ異なる周波数に対応する複数のアンテナと、前記複数のアンテナの使用状況を周波数に応じて切換える切換手段とを有するアンテナ装置。
【請求項２】
無線基地局と通信を行う携帯端末のアンテナ装置であって、
携帯端末の筐体から伸張可能な第１のアンテナと、
携帯端末の筐体に収納された第２のアンテナと、
周波数フィルタとを有し、
前記第２のアンテナのみ前記周波数フィルタを介して給電部に接続されることを特徴とする携帯端末のアンテナ装置。
【請求項３】
前記第１のアンテナは前記周波数フィルタを介さずに前記給電部に接続されることを特徴とする請求項２記載の携帯端末のアンテナ装置。
【請求項４】
無線基地局と通信を行う携帯端末のアンテナ装置であって、
携帯端末の筐体に収納可能な第１のアンテナと、
携帯端末の筐体に収納された第２のアンテナとを有し、
前記第１のアンテナの先端部分には前記第１のアンテナと電気的に絶縁された第３のアンテナが設けられ、
前記第２のアンテナのみ周波数フィルタを介して給電部に接続されることを特徴とする携帯端末のアンテナ装置。
【請求項５】
前記第１のアンテナまたは前記第３のアンテナは、前記周波数フィルタを介さずに前記給電部に接続されることを特徴とする請求項４記載の携帯端末のアンテナ装置。
【請求項６】
前記第３のアンテナがヘリカルアンテナであることを特徴とする請求項４または請求項５に記載の携帯端末のアンテナ装置。
【請求項７】
前記第２のアンテナは、コイル状アンテナであることを特徴とする請求項２乃至請求項６のいずれか１項に記載の携帯端末のアンテナ装置。
【請求項８】
前記コイル状アンテナは、前記第１のアンテナを収納する空間を有する請求項７記載の携帯端末のアンテナ装置。
【請求項９】
前記第２のアンテナは、メアンダラインアンテナであることを特徴とする請求項２乃至請求項６のいずれか１項に記載の携帯端末のアンテナ装置。
【請求項１０】
前記メアンダラインアンテナは、前記第１のアンテナを収納する空間を有する請求項９記載の携帯端末のアンテナ装置。
【請求項１１】
前記第２のアンテナと前記給電部が同じ基板に固定されることを特徴とする請求項２乃至請求項６のいずれか１項に記載の携帯端末のアンテナ装置。
【請求項１２】
前記第２のアンテナは、前記第１のアンテナを収納する空間を有するように半円筒形状または逆さＵ字状に成形され、基板の表面に沿って固定されたメアンダラインアンテナであり、前記第１のアンテナを収容できる位置にあることを特徴とする請求項２乃至請求項６のいずれか１項に記載の携帯端末のアンテナ装置。
【請求項１３】
前記第２のアンテナは、細長い形状であり、その長手方向に直交する断面は半円筒形またはＵ字形とされ、その半円筒形またはＵ字形の開放側が基板に固定されて、前記第１のアンテナを収納する空間を形成することを特徴とする請求項２乃至請求項６のいずれか１項に記載の携帯端末のアンテナ装置。
【請求項１４】
前記第１のアンテナは、ホイップアンテナであり、伸張された時、給電部に接続されることを特徴とする請求項２乃至請求項６のいずれか１項に記載の携帯端末のアンテナ装置。
【請求項１５】
前記第１のアンテナが単独で機能する状態と、前記第１のアンテナと前記第２のアンテナが前記周波数フィルタを経由して互いに接続されることで機能する状態とを有することにより、２つの共振状態を有するアンテナとして動作することを特徴とする請求項２乃至請求項６のいずれか１項に記載の携帯端末のアンテナ装置。
【請求項１６】
前記第１のアンテナは、単独でＵＨＦ帯域以上の周波数に対して機能し、前記第１のアンテナと前記第２のアンテナは、前記周波数フィルタを経由して互いに接続されることでＶＨＦ帯域以下の周波数に対して機能することを特徴とする請求項１４に記載の携帯端末のアンテナ装置。
【請求項１７】
前記第３のアンテナが単独で機能する状態と、前記第１のアンテナが収納された時に前記第３のアンテナが前記第２のアンテナとともに機能する状態とを有することにより、２つの共振状態を有するアンテナとして動作することを特徴とする請求項４乃至請求項６のいずれか１項に記載の携帯端末のアンテナ装置。
【請求項１８】
前記第３のアンテナは、単独でＵＨＦ帯域以上の周波数に対して機能し、前記第２のアンテナは、前記第３のアンテナとともにＶＨＦ帯域以下の周波数に対して機能することを特徴とする請求項１６記載の携帯端末のアンテナ装置。
【請求項１９】
前記周波数フィルタは、ＵＨＦ帯域の周波数に対するインピーダンスが十分高く、ＶＨＦ帯域の周波数に対するインピーダンスが十分低いインピーダンスとなるよう機能することを特徴とする請求項２乃至請求項１７のいずれか１項に記載の携帯端末のアンテナ装置。
【請求項２０】
請求項１乃至請求項１８のいずれかに記載のアンテナ装置を備えた携帯端末。
【請求項２１】
ＵＨＦ帯およびＶＨＦ帯を含むＴＶ放送波とＦＭ放送波とを受信可能なアンテナと、
イヤホンコネクタと、
受信されたＵＨＦ帯およびＶＨＦ帯を含むＴＶ放送波とＦＭ放送波とを復調可能なＴＶ／ＦＭ受信部と、
前記アンテナおよびイヤホンコネクタのいずれかを前記ＴＶ／ＦＭ受信部に選択的に接続する切換スイッチとを有する複数放送波を受信可能な無線機。
【請求項２２】
携帯電話機の使用帯域の電波の送受信、ＵＨＦ帯およびＶＨＦ帯を含むＴＶ放送波とＦＭ放送波とを受信可能なアンテナと、
イヤホンコネクタと、
受信されたＵＨＦ帯およびＶＨＦ帯を含むＴＶ放送波とＦＭ放送波とを復調可能なＴＶ／ＦＭ受信部と、
前記アンテナにより受信された電波について、携帯電話機の使用帯域の電波と、ＴＶ放送波およびＦＭ放送波とに分離する周波数分配器と、
前記周波数分配器により分離されたＴＶ放送波およびＦＭ放送波が出力される線路とイヤホンコネクタのいずれかを前記ＴＶ／ＦＭ受信部に選択的に接続する切換スイッチとを有する複数放送波を受信可能な無線機。
【請求項２３】
請求項２１記載の複数放送波を受信可能な無線機において、
イヤホンコネクタへのイヤホンの装着状態を検出し、前記イヤホンコネクタへイヤホンが装着され、かつ、ＴＶ／ＦＭ受信部にてＶＨＦ放送またはＦＭ放送を受信する状態のときには前記イヤホンコネクタと前記ＴＶ／ＦＭ受信部が接続されるように切換スイッチを制御するイヤホン検出部を有することを特徴とする複数放送波を受信可能な無線機。
【請求項２４】
請求項２３記載の複数放送波を受信可能な無線機において、
ＦＭ放送波およびＶＨＦ帯の受信を最適化するための第１のインピーダンスと、ＵＨＦ帯の受信を最適化するための第２のインピーダンスが切換可能に構成され、切換スイッチとＴＶ／ＦＭ受信部との間に設けられたインピーダンス切換え部を備え、
イヤホン検出部は前記イヤホンコネクタへイヤホンが装着され、かつ、ＴＶ／ＦＭ受信部にてＶＨＦ放送またはＦＭ放送が受信されているときには前記第１のインピーダンスとなるように前記インピーダンス切換え部を制御することを特徴とする複数放送波を受信可能な無線機。
【請求項２５】
携帯電話機の使用帯域の電波を送受信可能であり、ＵＨＦ帯およびＶＨＦ帯を含むＴＶ放送波とＦＭ放送波とを受信可能なアンテナ装置であって、請求項２乃至請求項１８のいずれかに一項に記載の構成を備えたアンテナ装置と、
イヤホンコネクタと、
受信されたＵＨＦ帯およびＶＨＦ帯を含むＴＶ放送波とＦＭ放送波とを復調可能なＴＶ／ＦＭ受信部と、
前記アンテナ装置により受信された電波について、携帯電話機の使用帯域の電波と、ＴＶ放送波およびＦＭ放送波とに分離する周波数分配器と、
前記周波数分配器により分離されたＴＶ放送波およびＦＭ放送波の出力端とイヤホンコネクタのいずれかを前記ＴＶ／ＦＭ受信部に選択的に接続する切換部とを有する放送波を受信可能な無線機。
【請求項２６】
携帯電話機の使用帯域の電波を送受信可能であり、ＵＨＦ帯、ＶＨＦ帯の少なくとも一方を含む放送波を受信可能なアンテナ装置と、
イヤホンコネクタと、
受信されたＵＨＦ帯、ＶＨＦ帯の少なくとも一方を含む放送波を受信可能な受信部と、
前記アンテナ装置により受信された電波について、携帯電話機の使用帯域の電波と、放送波とに分離する周波数分配器と、
前記周波数分配器により分離された放送波の出力端とイヤホンコネクタのいずれかを前記受信部に選択的に接続する切換部とを有する放送波を受信可能な無線機。
【請求項２７】
携帯電話機の使用帯域の電波の送受信、ＵＨＦ帯およびＶＨＦ帯を含むＴＶ放送波を受信可能なアンテナ装置であって、請求項２乃至請求項１８のいずれかに一項に記載の構成を備えたアンテナ装置と、
イヤホンコネクタと、
受信されたＵＨＦ帯、ＶＨＦ帯の少なくとも一方を含む放送波を受信可能な受信部と、
前記アンテナ装置により受信された電波について、携帯電話機の使用帯域の電波と、放送波とに分離する周波数分配器と、
前記周波数分配器により分離された放送波の出力端とイヤホンコネクタのいずれかを前記受信部に選択的に接続する切換部とを有する放送波を受信可能な無線機。
【請求項２８】
請求項２６または請求項２７記載の放送波を受信可能な無線機において、
前記イヤホンコネクタは、アンテナとして動作可能なイヤホンを接続可能である放送波を受信可能な無線機。
【請求項２９】
無線基地局と通信を行なう無線機であって、
無線機の筐体に備えられ、ＴＶ放送波を受信可能な第１のアンテナと、
無線機の筐体に収容され、ＴＶ放送波を受信可能な第２のアンテナと、
前記第１のアンテナとは直接接続され、前記第２のアンテナとは前記周波数フィルタを介して接続する給電部と、
前記給電部と接続され、第１のアンテナおよび前記第２のアンテナにより受信された電波について、携帯電話機の使用帯域の電波と、ＴＶ放送波とに分離する周波数分配器と、
ＴＶ放送波を受信可能な受信部と、
ＶＨＦ帯を通過させる周波数フィルタと、
イヤホンコネクタと、
前記イヤホンコネクタへのイヤホンの接続状態を検出するイヤホン検出部と、
前記受信部がＶＨＦ帯の放送波の受信状態のときに前記イヤホン検出部が前記イヤホンコネクタにイヤホンが接続されていることを検出した場合には前記イヤホンコネクタを前記受信部に接続する切換部とを有する無線機。
【請求項３０】
無線基地局と通信を行なう無線機であって、
無線機の筐体に備えられ、ＴＶ放送波を受信可能な第１のアンテナと、
無線機の筐体に収容され、ＴＶ放送波を受信可能な第２のアンテナと、
前記第１のアンテナとは直接接続され、前記第２のアンテナとは前記周波数フィルタを介して接続する給電部と、
前記給電部と接続され、第１のアンテナおよび前記第２のアンテナにより受信された電波について、携帯電話機の使用帯域の電波と、ＴＶ放送波とに分離する周波数分配器と、
ＴＶ放送波を受信可能な受信部と、
ＶＨＦ帯を通過させる周波数フィルタと、
イヤホンコネクタと、
前記イヤホンコネクタへのイヤホンの接続状態を検出するイヤホン検出部と、
前記受信部がＵＨＦ帯の放送波の受信状態のときには前記周波数分配器のＴＶ放送波の出力端を前記受信部に接続する切換部とを有する無線機。
【請求項３１】
無線基地局と通信を行なう無線機であって、
無線機の筐体に備えられ、ＴＶ放送波を受信可能な第１のアンテナと、
無線機の筐体に収容され、ＴＶ放送波を受信可能な第２のアンテナと、
前記第１のアンテナとは直接接続され、前記第２のアンテナとは前記周波数フィルタを介して接続する給電部と、
前記給電部と接続され、第１のアンテナおよび前記第２のアンテナにより受信された電波について、携帯電話機の使用帯域の電波と、ＴＶ放送波とに分離する周波数分配器と、
ＴＶ放送波を受信可能な受信部と、
ＶＨＦ帯を通過させる周波数フィルタと、
イヤホンコネクタと、
前記イヤホンコネクタへのイヤホンの接続状態を検出するイヤホン検出部と、
前記受信部がＶＨＦ帯の放送波の受信状態であり、前記イヤホン検出部が前記イヤホンコネクタにイヤホンが接続されていることを検出しない場合には前記周波数分配器のＴＶ放送波の出力端を前記受信部に接続する切換部とを有する無線機。
【請求項３２】
無線基地局と通信を行なう無線機であって、
無線機の筐体に備えられ、ＴＶ放送波を受信可能な第１のアンテナと、
無線機の筐体に収容され、ＴＶ放送波を受信可能な第２のアンテナと、
前記第１のアンテナとは直接接続され、前記第２のアンテナとは前記周波数フィルタを介して接続する給電部と、
前記給電部と接続され、第１のアンテナおよび前記第２のアンテナにより受信された電波について、携帯電話機の使用帯域の電波と、ＴＶ放送波とに分離する周波数分配器と、
ＴＶ放送波を受信可能な受信部と、
ＶＨＦ帯を通過させる周波数フィルタと、
イヤホンコネクタと、
前記イヤホンコネクタへのイヤホンの接続状態を検出するイヤホン検出部と、
前記受信部がＶＨＦ帯の放送波の受信状態のときに前記イヤホン検出部が前記イヤホンコネクタにイヤホンが接続されていることを検出した場合には前記イヤホンコネクタを前記受信部に接続し、前記受信部がＵＨＦ帯の放送波の受信状態のときには前記周波数分配器のＴＶ放送波の出力端を前記受信部に接続し、前記受信部がＶＨＦ帯の放送波の受信状態のときで前記イヤホン検出部が前記イヤホンコネクタにイヤホンが接続されていることを検出しない場合には前記給電部を前記受信部に接続する切換部とを有する無線機。
【請求項３３】
請求項２９ないし請求項３２のいずれかに記載の無線機において、
前記第１のアンテナの先端部分に、前記第１のアンテナと電気的に絶縁された第３のアンテナが設けられたことを特徴とする無線機
【請求項３４】
請求項２９ないし請求項３３のいずれかに記載の無線機において、
前記第１のアンテナはホイップアンテナであり、伸張された時に給電部に接続されることを特徴とする無線機。
【請求項３５】
請求項２９ないし請求項３４のいずれかに記載の無線機において、
前記第１のアンテナが単独で機能する状態と、前記第１のアンテナと前記第２のアンテナが前記周波数フィルタを経由して互いに接続されることで機能する状態とを有することにより２つの共振状態を有するアンテナとして動作することを特徴とする無線機。
【請求項３６】
請求項２９ないし請求項３５のいずれかに記載の無線機において、
前記第１のアンテナは、単独でＵＨＦ帯域以上の周波数に対して機能し、前記第１のアンテナと前記第２のアンテナは、前記周波数フィルタを経由して互いに接続されることでＶＨＦ帯域以下の周波数に対して機能することを特徴とする無線機。
【請求項３７】
請求項２９ないし請求項３６のいずれかに記載の無線機において、
前記第２のアンテナはコイル状アンテナであることを特徴とする無線機。
【請求項３８】
請求項２９ないし請求項３６のいずれかに記載の無線機において、
前記第２のアンテナはメアンダラインアンテナであることを特徴とする無線機。
【請求項３９】
請求項３３に記載の無線機において、
前記第３のアンテナはヘリカルアンテナであることを特徴とする無線機。
【請求項４０】
請求項３３または請求項３９に記載の無線機において、
前記第３のアンテナが単独で機能する状態と、前記第１のアンテナが収納されたときに前記第３のアンテナが前記第２のアンテナとともに機能する状態とを有することにより、２つの共振状態を有するアンテナとして動作することを特徴とする無線機。
【請求項４１】
請求項３３、３９、４０のいずれかに記載の無線機において、
前記第３のアンテナは単独でＵＨＦ帯域以上の周波数に対して機能し、前記第２のアンテナは前記第３のアンテナとともにＶＨＦ帯域以下の周波数に対して機能することを特徴とする無線機。
【発明の詳細な説明】
【技術分野】
【０００１】
本発明は、アンテナを組み合わせることにより、異なる周波数帯で使用可能な携帯端末のアンテナ装置に関し、さらには、ＵＨＦ帯およびＶＨＦ帯を含むＴＶ放送波とＦＭ放送波とを受信可能な無線機に関する。
【背景技術】
【０００２】
従来のこの種の携帯端末のアンテナ装置は、特許文献１（特開平５−３０４４０８号公報）に開示されるように、伸張時は高利得が得られるが、収縮時は利得が大きく劣化する伸縮式外部アンテナと、外部アンテナの収縮時よりは良好な利得を得やすいが伸張時よりは利得が不利な内蔵アンテナとを組み合わせることにより、送受信で良好な利得が得られ、２周波共用を可能としている。
【０００３】
現在、市販されている無線機および受信機において、ＶＨＦ帯域の周波数とＵＨＦ帯域の周波数に対応する場合、特に、ＶＨＦ帯域の波長がかなり長いことから、ロッドアンテナ、ヘリカルアンテナ等が用いられる事が多い。
【０００４】
また、携帯性を重視した無線機、小型受信機ではイヤホンをアンテナとして利用しているものも多い。
【０００５】
特開平０４−２０００４７号公報（特許文献２）には、２つのイヤホンと携帯電話機の間に切換器に選択的に切り換えられる２対のアンテナを設ける構成が開示されている。
【０００６】
特開昭６１−２８１７２４号公報（特許文献３）には、イヤホンコードをダイバシティ受信用の第２のアンテナとして用いる構成が開示されている。
【０００７】
特開２００２−３１４４５０号公報（特許文献４）には、イヤホンワイヤを２つのアンテナとして使用し、一方による受信を行なっているときに受信不良が生じると他方に切り換える構成が開示されている。
【特許文献１】特開平５−３０４４０８号公報
【特許文献２】特開平０４−２０００４７号公報
【特許文献３】特開昭６１−２８１７２４号公報
【特許文献４】特開２００２−３１４４５０号公報
【発明の開示】
【発明が解決しようとする課題】
【０００８】
しかしながら、ＶＨＦ帯域とＵＨＦ帯域はかなり離れており、無線機に取付けられているアンテナでは、それぞれのアンテナ特性を同時に満たすことは困難である。
【０００９】
上述した従来技術のうち、特許文献１に記載のものでは、伸縮式外部アンテナと内蔵アンテナとを組み合わせることにより２周波共用を可能とし、送受信で良好な利得が得られるが、例えば、ＶＨＦ帯域の周波数とＵＨＦ帯域の周波数との両方に対応する場合、それぞれの周波数帯でアンテナ特性を同時に満たすことが難しいという問題がある。
【００１０】
また、アンテナ特性にはその長さが重要な要素を占めており、特許文献２および特許文献４に記載のものでは、２対のアンテナの長さを大きく変えることが難しく、様々な放送波を受信することは困難であることが予想される。
【００１１】
特許文献３に記載のものは、ダイバシティ受信を行なう際に用いられるものであり、様々な放送波を受信することは困難であることが予想される。
【００１２】
本発明は、上述したような従来の技術が有する問題点に鑑みてなされたものであって、上記のような従来の欠点を除去するため、高い周波数では収納可能な外部アンテナ（ホイップアンテナまたはヘリカルアンテナ）により、低い周波数では外部アンテナと内蔵アンテナとを組み合わせることにより、広い周波数帯域で動作が可能な携帯端末のアンテナ装置を提供することにある。
【００１３】
また、イヤホンが使用される場合に、より良いアンテナ特性が得られる無線機を実現することを目的とする。
【課題を解決するための手段】
【００１４】
本発明のアンテナ装置は、それぞれ異なる周波数に対応する複数のアンテナと、前記複数のアンテナの使用状況を周波数に応じて切換える切換手段とを有する。
【００１５】
本発明の携帯端末のアンテナ装置は、無線基地局と通信を行う携帯端末のアンテナ装置であって、
携帯端末の筐体から伸張可能な第１のアンテナと、
携帯端末の筐体に収納された第２のアンテナと、
周波数フィルタとを有し、
前記第２のアンテナのみ前記周波数フィルタを介して給電部に接続されることを特徴とする。
【００１６】
この場合、前記第１のアンテナは前記周波数フィルタを介さずに前記給電部に接続されることとしてもよい。
【００１７】
本発明の他の形態による携帯端末のアンテナ装置は、無線基地局と通信を行う携帯端末のアンテナ装置であって、
携帯端末の筐体に収納可能な第１のアンテナと、
携帯端末の筐体に収納された第２のアンテナとを有し、
前記第１のアンテナの先端部分には前記第１のアンテナと電気的に絶縁された第３のアンテナが設けられ、
前記第２のアンテナのみ周波数フィルタを介して給電部に接続されることを特徴とする。
【００１８】
この場合、前記第１のアンテナまたは前記第３のアンテナは、前記周波数フィルタを介さずに前記給電部に接続されることとしてもよい。
【００１９】
また、前記第３のアンテナがヘリカルアンテナであるとしてもよい。
【００２０】
上記のいずれにおいても、前記第２のアンテナは、コイル状アンテナであるとしてもよい。
【００２１】
この場合、前記コイル状アンテナは、前記第１のアンテナを収納する空間を有するとしてもよい。
【００２２】
また、前記第２のアンテナは、メアンダラインアンテナであるとしてもよい。
【００２３】
また、前記メアンダラインアンテナは、前記第１のアンテナを収納する空間を有するとしてもよい。
【００２４】
また、前記第２のアンテナと前記給電部が同じ基板に固定されるとしてもよい。
【００２５】
また、前記第２のアンテナは、前記第１のアンテナを収納する空間を有するように半円筒形状または逆さＵ字状に成形され、基板の表面に沿って固定されたメアンダラインアンテナであり、前記第１のアンテナを収容できる位置にあるとしてもよい。
【００２６】
また、前記第２のアンテナは、細長い形状であり、その長手方向に直交する断面は半円筒形またはＵ字形とされ、その半円筒形またはＵ字形の開放側が基板に固定されて、前記第１のアンテナを収納する空間を形成するとしてもよい。
【００２７】
また、前記第１のアンテナは、ホイップアンテナであり、伸張された時、給電部に接続されるとしてもよい。
【００２８】
また、前記第１のアンテナが単独で機能する状態と、前記第１のアンテナと前記第２のアンテナが前記周波数フィルタを経由して互いに接続されることで機能する状態とを有することにより、２つの共振状態を有するアンテナとして動作するとしてもよい。
【００２９】
また、前記第１のアンテナは、単独でＵＨＦ帯域以上の周波数に対して機能し、前記第１のアンテナと前記第２のアンテナは、前記周波数フィルタを経由して互いに接続されることでＶＨＦ帯域以下の周波数に対して機能するとしてもよい。
【００３０】
また、前記第３のアンテナが単独で機能する状態と、前記第１のアンテナが収納された時に前記第３のアンテナが前記第２のアンテナとともに機能する状態とを有することにより、２つの共振状態を有するアンテナとして動作するとしてもよい。
【００３１】
また、前記第３のアンテナは、単独でＵＨＦ帯域以上の周波数に対して機能し、前記第２のアンテナは、前記第３のアンテナとともにＶＨＦ帯域以下の周波数に対して機能するとしてもよい。
【００３２】
また、前記周波数フィルタは、ＵＨＦ帯域の周波数に対するインピーダンスが十分高く、ＶＨＦ帯域の周波数に対するインピーダンスが十分低いインピーダンスとなるよう機能するとしてもよい。
【００３３】
本発明の携帯端末は、上記のいずれかに記載のアンテナ装置を備えている。
【００３４】
本発明の複数放送波を受信可能な無線機は、ＵＨＦ帯およびＶＨＦ帯を含むＴＶ放送波とＦＭ放送波とを受信可能なアンテナと、
イヤホンコネクタと、
受信されたＵＨＦ帯およびＶＨＦ帯を含むＴＶ放送波とＦＭ放送波とを復調可能なＴＶ／ＦＭ受信部と、
前記アンテナおよびイヤホンコネクタのいずれかを前記ＴＶ／ＦＭ受信部に選択的に接続する切換スイッチとを有する。
【００３５】
本発明の他の形態による複数放送波を受信可能な無線機は、携帯電話機の使用帯域の電波の送受信、ＵＨＦ帯およびＶＨＦ帯を含むＴＶ放送波とＦＭ放送波とを受信可能なアンテナと、
イヤホンコネクタと、
受信されたＵＨＦ帯およびＶＨＦ帯を含むＴＶ放送波とＦＭ放送波とを復調可能なＴＶ／ＦＭ受信部と、
前記アンテナにより受信された電波について、携帯電話機の使用帯域の電波と、ＴＶ放送波およびＦＭ放送波とに分離する周波数分配器と、
前記周波数分配器により分離されたＴＶ放送波およびＦＭ放送波が出力される線路とイヤホンコネクタのいずれかを前記ＴＶ／ＦＭ受信部に選択的に接続する切換スイッチとを有する。
【００３６】
この場合、イヤホンコネクタへのイヤホンの装着状態を検出し、前記イヤホンコネクタへイヤホンが装着され、かつ、ＴＶ／ＦＭ受信部にてＶＨＦ放送またはＦＭ放送を受信する状態のときには前記イヤホンコネクタと前記ＴＶ／ＦＭ受信部が接続されるように切換スイッチを制御するイヤホン検出部を有するとしてもよい。
【００３７】
さらに、ＦＭ放送波およびＶＨＦ帯の受信を最適化するための第１のインピーダンスと、ＵＨＦ帯の受信を最適化するための第２のインピーダンスが切換可能に構成され、切換スイッチとＴＶ／ＦＭ受信部との間に設けられたインピーダンス切換え部を備え、
イヤホン検出部は前記イヤホンコネクタへイヤホンが装着され、かつ、ＴＶ／ＦＭ受信部にてＶＨＦ放送またはＦＭ放送が受信されているときには前記第１のインピーダンスとなるように前記インピーダンス切換え部を制御するとしてもよい。
【００３８】
本発明の他の形態による放送波を受信可能な無線機は、携帯電話機の使用帯域の電波を送受信可能であり、ＵＨＦ帯およびＶＨＦ帯を含むＴＶ放送波とＦＭ放送波とを受信可能なアンテナ装置であって、上記のいずれかに記載の構成を備えたアンテナ装置と、
イヤホンコネクタと、
受信されたＵＨＦ帯およびＶＨＦ帯を含むＴＶ放送波とＦＭ放送波とを復調可能なＴＶ／ＦＭ受信部と、
前記アンテナ装置により受信された電波について、携帯電話機の使用帯域の電波と、ＴＶ放送波およびＦＭ放送波とに分離する周波数分配器と、
前記周波数分配器により分離されたＴＶ放送波およびＦＭ放送波の出力端とイヤホンコネクタのいずれかを前記ＴＶ／ＦＭ受信部に選択的に接続する切換部とを有する。
【００３９】
本発明の他の形態による放送波を受信可能な無線機は、携帯電話機の使用帯域の電波を送受信可能であり、ＵＨＦ帯、ＶＨＦ帯の少なくとも一方を含む放送波を受信可能なアンテナ装置と、
イヤホンコネクタと、
受信されたＵＨＦ帯、ＶＨＦ帯の少なくとも一方を含む放送波を受信可能な受信部と、
前記アンテナ装置により受信された電波について、携帯電話機の使用帯域の電波と、放送波とに分離する周波数分配器と、
前記周波数分配器により分離された放送波の出力端とイヤホンコネクタのいずれかを前記受信部に選択的に接続する切換部とを有する。
【００４０】
本発明の他の形態による放送波を受信可能な無線機は、携帯電話機の使用帯域の電波の送受信、ＵＨＦ帯およびＶＨＦ帯を含むＴＶ放送波を受信可能なアンテナ装置であって、上記のいずれかに記載の構成を備えたアンテナ装置と、
イヤホンコネクタと、
受信されたＵＨＦ帯、ＶＨＦ帯の少なくとも一方を含む放送波を受信可能な受信部と、
前記アンテナ装置により受信された電波について、携帯電話機の使用帯域の電波と、放送波とに分離する周波数分配器と、
前記周波数分配器により分離された放送波の出力端とイヤホンコネクタのいずれかを前記受信部に選択的に接続する切換部とを有する。
【００４１】
この場合、前記イヤホンコネクタは、アンテナとして動作可能なイヤホンを接続可能であるとしてもよい。
【００４２】
本発明の無線機は、無線基地局と通信を行なう無線機であって、
無線機の筐体に備えられ、ＴＶ放送波を受信可能な第１のアンテナと、
無線機の筐体に収容され、ＴＶ放送波を受信可能な第２のアンテナと、
前記第１のアンテナとは直接接続され、前記第２のアンテナとは前記周波数フィルタを介して接続する給電部と、
前記給電部と接続され、第１のアンテナおよび前記第２のアンテナにより受信された電波について、携帯電話機の使用帯域の電波と、ＴＶ放送波とに分離する周波数分配器と、
ＴＶ放送波を受信可能な受信部と、
ＶＨＦ帯を通過させる周波数フィルタと、
イヤホンコネクタと、
前記イヤホンコネクタへのイヤホンの接続状態を検出するイヤホン検出部と、
前記受信部がＶＨＦ帯の放送波の受信状態のときに前記イヤホン検出部が前記イヤホンコネクタにイヤホンが接続されていることを検出した場合には前記イヤホンコネクタを前記受信部に接続する切換部とを有する。
【００４３】
本発明の他の形態による無線機は、無線基地局と通信を行なう無線機であって、
無線機の筐体に備えられ、ＴＶ放送波を受信可能な第１のアンテナと、
無線機の筐体に収容され、ＴＶ放送波を受信可能な第２のアンテナと、
前記第１のアンテナとは直接接続され、前記第２のアンテナとは前記周波数フィルタを介して接続する給電部と、
前記給電部と接続され、第１のアンテナおよび前記第２のアンテナにより受信された電波について、携帯電話機の使用帯域の電波と、ＴＶ放送波とに分離する周波数分配器と、
ＴＶ放送波を受信可能な受信部と、
ＶＨＦ帯を通過させる周波数フィルタと、
イヤホンコネクタと、
前記イヤホンコネクタへのイヤホンの接続状態を検出するイヤホン検出部と、
前記受信部がＵＨＦ帯の放送波の受信状態のときには前記周波数分配器のＴＶ放送波の出力端を前記受信部に接続する切換部とを有する。
【００４４】
本発明の他の形態による無線機は、無線基地局と通信を行なう無線機であって、
無線機の筐体に備えられ、ＴＶ放送波を受信可能な第１のアンテナと、
無線機の筐体に収容され、ＴＶ放送波を受信可能な第２のアンテナと、
前記第１のアンテナとは直接接続され、前記第２のアンテナとは前記周波数フィルタを介して接続する給電部と、
前記給電部と接続され、第１のアンテナおよび前記第２のアンテナにより受信された電波について、携帯電話機の使用帯域の電波と、ＴＶ放送波とに分離する周波数分配器と、
ＴＶ放送波を受信可能な受信部と、
ＶＨＦ帯を通過させる周波数フィルタと、
イヤホンコネクタと、
前記イヤホンコネクタへのイヤホンの接続状態を検出するイヤホン検出部と、
前記受信部がＶＨＦ帯の放送波の受信状態であり、前記イヤホン検出部が前記イヤホンコネクタにイヤホンが接続されていることを検出しない場合には前記周波数分配器のＴＶ放送波の出力端を前記受信部に接続する切換部とを有する。
【００４５】
本発明の他の形態による無線機は、無線基地局と通信を行なう無線機であって、
無線機の筐体に備えられ、ＴＶ放送波を受信可能な第１のアンテナと、
無線機の筐体に収容され、ＴＶ放送波を受信可能な第２のアンテナと、
前記第１のアンテナとは直接接続され、前記第２のアンテナとは前記周波数フィルタを介して接続する給電部と、
前記給電部と接続され、第１のアンテナおよび前記第２のアンテナにより受信された電波について、携帯電話機の使用帯域の電波と、ＴＶ放送波とに分離する周波数分配器と、
ＴＶ放送波を受信可能な受信部と、
ＶＨＦ帯を通過させる周波数フィルタと、
イヤホンコネクタと、
前記イヤホンコネクタへのイヤホンの接続状態を検出するイヤホン検出部と、
前記受信部がＶＨＦ帯の放送波の受信状態のときに前記イヤホン検出部が前記イヤホンコネクタにイヤホンが接続されていることを検出した場合には前記イヤホンコネクタを前記受信部に接続し、前記受信部がＵＨＦ帯の放送波の受信状態のときには前記周波数分配器のＴＶ放送波の出力端を前記受信部に接続し、前記受信部がＶＨＦ帯の放送波の受信状態のときで前記イヤホン検出部が前記イヤホンコネクタにイヤホンが接続されていることを検出しない場合には前記給電部を前記受信部に接続する切換部とを有する。
【００４６】
上記のいずれかに記載の無線機においても、
前記第１のアンテナの先端部分に、前記第１のアンテナと電気的に絶縁された第３のアンテナが設けることとしてもよい
また、前記第１のアンテナはホイップアンテナであり、伸張された時に給電部に接続されることとしてもよい。
【００４７】
また、前記第１のアンテナが単独で機能する状態と、前記第１のアンテナと前記第２のアンテナが前記周波数フィルタを経由して互いに接続されることで機能する状態とを有することにより２つの共振状態を有するアンテナとして動作することとしてもよい。
【００４８】
また、前記第１のアンテナは、単独でＵＨＦ帯域以上の周波数に対して機能し、前記第１のアンテナと前記第２のアンテナは、前記周波数フィルタを経由して互いに接続されることでＶＨＦ帯域以下の周波数に対して機能することとしてもよい。
【００４９】
また、前記第２のアンテナはコイル状アンテナであるとしてもよい。
【００５０】
また、前記第２のアンテナはメアンダラインアンテナであるとしてもよい。
【００５１】
また、前記第３のアンテナはヘリカルアンテナであるとしてもよい。
【００５２】
また、前記第３のアンテナが単独で機能する状態と、前記第１のアンテナが収納されたときに前記第３のアンテナが前記第２のアンテナとともに機能する状態とを有することにより、２つの共振状態を有するアンテナとして動作することとしてもよい。
【００５３】
また、前記第３のアンテナは単独でＵＨＦ帯域以上の周波数に対して機能し、前記第２のアンテナは前記第３のアンテナとともにＶＨＦ帯域以下の周波数に対して機能することとしてもよい。
【発明の効果】
【００５４】
それぞれ異なる周波数に対応する複数のアンテナと、複数のアンテナの使用状況を周波数に応じて切換える切換手段とを有することにより良好な受信動作を行うことができる。
【発明を実施するための最良の形態】
【００５５】
次に、本発明を実施するための最良の形態の動作について図面を参照して説明する。
【００５６】
実施例１
図１は、本発明による第１の実施例の要部構成を示す斜視図である。
【００５７】
本実施例は、携帯端末の装置基板１０と、接触金具５と、給電部３と、ホイップアンテナ１と、周波数フィルタ４と、内蔵のコイル状アンテナ２とより構成されている。
【００５８】
ホイップアンテナ１は、接触金具５介して給電部３と電気的に接続される。周波数フィルタ４は装置基板１０に実装され、コイル状アンテナ２は周波数フィルタ４を介して給電部３と電気的に接続される。
【００５９】
本実施例においては、ＵＨＦ帯域（３００ＭＨｚ〜３ＧＨｚ）以上の高い周波数の場合にはホイップアンテナ１が伸張されて使用され、アンテナとして動作する。周波数フィルタ４はＶＨＦ帯域を通過させるもので、ＵＨＦ帯域以上の周波数に対するインピーダンス値が十分大きく設定されていることにより、内蔵のコイル状アンテナ２は励振されない。このため、ＵＨＦ帯域以上の高い周波数ではホイップアンテナ１のみがアンテナとして動作することになる。
【００６０】
一方、周波数フィルタ４はＶＨＦ帯域（３０〜３００ＭＨｚ）以下の周波数に対するインピーダンスは小さなものであるため、ＶＨＦ帯域以下の周波数ではホイップアンテナ１と内蔵のコイル状アンテナ２とが接続された状態でアンテナとして動作する。
【００６１】
上記の構成により、ＵＨＦ帯域以上の周波数ではホイップアンテナ１による受信動作が行われ、ＶＨＦ帯域以下の周波数においてはホイップアンテナ１および内蔵のコイル状アンテナ２による２つの共振状態を有するアンテナによる受信動作が行われることとなり、ＵＨＦ帯域からＶＨＦ帯域に渡る広い周波数帯でのアンテナ動作が可能となる。
【００６２】
ここで、周波数フィルタ４は、使用周波数帯域に応じて、インダクタンスまたはローパスフィルタを用いることができる。
【００６３】
上記のように構成される本実施例において、受信周波数に応じて受信動作に用いられるアンテナの種類を表１に示す。
【００６４】
【表１】
2005176302.tif 000003
【００６５】
実施例２
図２および図３は本発明による第２の実施例の要部構成を示す斜視図である。
【００６６】
本実施例は、図１に示した第１の実施例の構成に加えて、ホイップアンテナ１の先端に取りつけられたヘリカルアンテナ６が設けられている点が第１の実施例と異なっている。ヘリカルアンテナ６は絶縁体を含む接続部材８を介してホイップアンテナ１の先端に取りつけられており、ホイップアンテナ１とは電気的に絶縁されている。
【００６７】
図２にはホイップアンテナ１が伸長された場合が示されている。この状態では、図１に示した第１の実施例と同様に、周波数フィルタ４のインピーダンス値を適宜選定することにより、ＵＨＦ帯域以上の高い周波数ではホイップアンテナ１のみがアンテナとして動作し、ＶＨＦ帯域以下の周波数ではホイップアンテナ１と内蔵のコイル状アンテナ２とが接続されたアンテナとして動作する。このように、２つの共振状態を有するアンテナとして動作する。
【００６８】
一方、図３に示されるように、ホイップアンテナ１が収納された場合、ホイップアンテナ１の先端に取り付けられたヘリカルアンテナ６が接触金具５を介して電気的に給電部３と接続されることにより、ＵＨＦ帯域以上の高い周波数ではヘリカルアンテナ６のみがアンテナとして動作し、ＶＨＦ帯域以下の周波数ではヘリカルアンテナ６と内蔵のコイル状アンテナ２とが励振されて２つの共振状態を有するアンテナとして動作させることができる。
【００６９】
上記の構成により、ホイップアンテナ１が伸長しているときはホイップアンテナ１とコイル状アンテナ２との組合せによって第１の実施例と同等の特性を得ることができ、ホイップアンテナ１を収納した場合には、ヘリカルアンテナ６とコイル状アンテナ２との組合せによる特性が得られることとなり、ホイップアンテナ１の伸長時／収納時の両面で所要の帯域を得ることができる。
【００７０】
次に、第２の実施例におけるホイップアンテナ１とヘリカルアンテナ６に関する具体的な構成例について図４ないし図８を参照して説明する。
【００７１】
図４および図５は、ホイップアンテナ１とヘリカルアンテナ６が組み合わされたアンテナの構造を示す断面図、図６は図４および図５中のホイップアンテナ１とヘリカルアンテナ６の接続構造を示す部分拡大断面図、図７および図８はホイップアンテナ１とヘリカルアンテナ６が装着された携帯端末３１の内部構成を示す断面図である。
【００７２】
図４および図５に示すように、ヘリカルアンテナ６の周囲はカバー２７によって覆われている。ホイップアンテナ１は、筐体２０に設けられ伸張時の電気長がλ／２（１／２波長）の伸張収納可能なアンテナである。
【００７３】
ホイップアンテナ１とヘリカルアンテナ６はヘリカルアンテナ６の端部に設けられたヘリカルアンテナ給電部２３を介して接続される。その接続部分は図６に示すように、ヘリカルアンテナ給電部２３内部に設けられた空隙にホイップアンテナ１端部に取り付けられた止め金２９が収容され、これにより接続が図られている。ホイップアンテナ１端部および止め金２９の周囲には、図２および図３に示した接続部材８に相当する絶縁体２８が設けられており、ホイップアンテナ１とヘリカルアンテナ６は電気的に絶縁された状態とされている。
【００７４】
ホイップアンテナ１およびヘリカルアンテナ６は携帯端末の筐体３２に設けられたアンテナ保持金具２６により支持される。図４に示されるホイップアンテナ１が筐体３２から突出した状態の時にはホイップアンテナ１と電気的に接続するホイップアンテナ給電部２５がアンテナ保持金具２６と接触してホイップアンテナ１とアンテナ保持金具２６が導通状態となり、図５に示すようにホイップアンテナ１が筐体３２に収容された状態のときにはヘリカルアンテナ６と電気的に接続するヘリカルアンテナ給電部２３がアンテナ保持金具２６と接触してヘリカルアンテナ６とアンテナ保持金具２６が導通状態とされる。
【００７５】
図７および図８に示されるように、携帯端末３１の筐体３２の上端部に設けられたホイップアンテナ１は、接触金具５、給電部３を介して無線回路３４に接続されている。なお、給電部３に接続する接触金具５は、常に図４に示されるアンテナ保持金具２６と接触している。
【００７６】
次に、このホイップアンテナ１とヘリカルアンテナ６の動作について説明する。
【００７７】
図４および図７に示すように、ホイップアンテナ１伸張時には、ホイップアンテナ給電部２５より給電される。一方、図５および図８に示すように、ホイップアンテナ１が筐体３２に収納されているときには、ホイップアンテナ１はヘリカルアンテナ給電部２３に絶縁体２８を介して結合されているので、収納されたホイップアンテナ１が給電部３と電気的に切り離され、ヘリカルアンテナ給電部２３よりヘリカルアンテナ６のみに給電され、電気長が、例えばλ／２やλ／４のヘリカルアンテナ単体として動作する。
【００７８】
上述した第１および第２の実施例では、円筒形状に成形されたコイル状アンテナ２が使用され、ホイップアンテナ１を収納する空間を確保するように構成されている。
【００７９】
給電部３より切り離されたホイップアンテナ１をコイル状アンテナ２に備わる円筒形状の空間に納めることにより、装置内部の空間の増加を抑えることができる。
【００８０】
上記のように構成される本実施例において、受信周波数に応じて受信動作に用いられるアンテナの種類を、アンテナ伸張時、アンテナ収容時に分けて表２−１、２−２に示す。
【００８１】
【表２】
2005176302.tif 000004
【００８２】
実施例３
図９は本発明による第３の実施例の構成を示す斜視図である。
【００８３】
本実施例は内蔵されるアンテナとして、第１の実施例で使用されていたコイル状アンテナ２に代えてメアンダラインアンテナ７を装置基板１０上に形成したものである。この点以外は図１に示した実施例と同じである。
【００８４】
図９に示す構成において、内蔵されるアンテナをメアンダラインアンテナ７として給電部３と同一の基板上に固着することにより、装置内部の空間の増加を抑えることができる。なお、メアンダ状エレメントは、導体または回路パターンで構成することができる。
【００８５】
上記のように構成される本実施例において、受信周波数に応じて受信動作に用いられるアンテナの種類を表３に示す。
【００８６】
【表３】
2005176302.tif 000005
【００８７】
実施例４
図１０は本発明による第４の実施例の構成を示す斜視図である。
【００８８】
本実施例は内蔵されるアンテナとして、第１の実施例で使用されていたコイル状アンテナ２に代えて、半円筒形状または断面逆さＵ字形状のメアンダ状アンテナ８を装置基板１０上に形成したものである。この点以外は図１に示した実施例と同じである。
【００８９】
図示するように、メアンダ状アンテナ８は、細長い形状であり、その長手方向に直交する断面は半円筒形またはＵ字形とされ、その半円筒形またはＵ字形の開放側が基板に固定されて、ホイップアンテナ１を収納する空間を形成する。
【００９０】
図１０に示す構成において、内蔵されるアンテナを半円筒形状または断面逆さＵ字形状のメアンダ状アンテナ８として基板上に固定することにより、備えられた空間にホイップアンテナ１を収納するなど、装置内部の空間を有効に活用することができる。
【００９１】
上記のように構成される本実施例において、受信周波数に応じて受信動作に用いられるアンテナの種類を表４に示す。
【００９２】
【表４】
2005176302.tif 000006
【００９３】
実施例５
図１１は本発明による第５の実施例の構成を示す斜視図である。
【００９４】
本実施例は内蔵されるアンテナとして、第２の実施例で使用されていたコイル状アンテナ２に代えてメアンダラインアンテナ７を装置基板１０上に形成したものである。この点以外は図２に示した実施例と同じである。
【００９５】
図１１に示す構成において、内蔵されるアンテナをメアンダラインアンテナ７として給電部３と同一の基板上に固着することにより、装置内部の空間の増加を抑えることができる。なお、メアンダ状エレメントは、導体または回路パターンで構成することができる。
【００９６】
実施例６
図１２は本発明による第６の実施例の構成を示す斜視図である。
【００９７】
本実施例は内蔵されるアンテナとして、第２の実施例で使用されていたコイル状アンテナ２に代えて、半円筒形状または断面逆さＵ字形状のメアンダ状アンテナ８を装置基板１０上に形成したものである。この点以外は図２に示した実施例と同じである。
【００９８】
図１２に示す構成において、内蔵されるアンテナを半円筒形状または断面逆さＵ字形状のメアンダ状アンテナ８として基板上に固定することにより、備えられた空間にホイップアンテナ１を収納するなど、装置内部の空間を有効に活用することができる。
【００９９】
以上に説明したように、発明の携帯端末のアンテナ装置は、ホイップアンテナ１と、ホイップアンテナ１の先端に取り付けたヘリカルアンテナ６および内蔵アンテナのそれぞれのアンテナの共振周波数を適切に設定することにより、それぞれのアンテナ特性に応じて、ホイップアンテナ１の伸張時および収納時において、移動局送信周波数帯と移動局受信周波数帯とをカバーする２つの共振状態を有するアンテナとして動作を行わせることが可能となる。
【０１００】
上述した第１ないし第６の実施例のいずれも図７および図８に示されるような携帯端末に設けられるものであり、本発明は第１ないし第６の実施例に示されるアンテナ装置を備える携帯端末を含む。
【０１０１】
上記各実施例による携帯端末のアンテナ装置によれば、収納可能なホイップアンテナ、ホイップアンテナの先端に設けたヘリカルアンテナおよび内蔵アンテナのそれぞれのアンテナ特性を組み合わせることにより、小型化を損なうことなく、ＵＨＦ帯域の周波数とＶＨＦ帯域の周波数との両方に対応する２周波共用が可能となる効果がある。
【０１０２】
実施例７
次に、本発明の第７の実施例について図面を参照して説明する。
【０１０３】
図１３は本発明の第７の実施例の携帯電話機１００の要部構成を示すブロック図である。
【０１０４】
携帯電話機１００は、携帯電話機としての機能の他に、ＦＭ放送およびＴＶ放送の受信機能を備えるものである。携帯電話機１００には、携帯電話用アンテナ１０１が設けられ、その筐体の内部には、ＦＭ／ＴＶアンテナ１０２、イヤホンコネクタ１０７、切換部である切換スイッチ１０４、ＴＶ／ＦＭ受信部１０５および携帯電話機無線部１０６が設けられている。携帯電話機１００は、ＶＨＦ帯域のアンテナとして機能するＶＨＦ帯用アンテナ内蔵イヤホン１０３を使用することを前提とするものであり、図１３には該ＶＨＦ帯用アンテナ内蔵イヤホン１０３が音声信号を出力するイヤホンコネクタ１０７に挿入されている状態が示されている。
【０１０５】
ＶＨＦ帯用アンテナ内蔵イヤホン１０３の構成としては、ＶＨＦ帯用のアンテナを内蔵する構成や、イヤホンを構成するために使用されるケーブルをＶＨＦ帯用のアンテナとして兼用する構成が挙げられ、いずれの構成としてもよい。
【０１０６】
携帯電話機１００には上記の各構成要素の他に、ＴＶ画像や携帯電話に関する情報を表示する表示装置や、音声を出力するスピーカ、動作を選択するための入力手段、携帯電話機能を実現するための手段などが設けられるが、これらは公知の技術で実現可能な一般的な構成であるために、図示することなく、説明は省略する。
【０１０７】
携帯電話用アンテナ１０１は携帯電話機の使用帯域の電波の送受信を行なうためのアンテナであり、ＦＭ／ＴＶアンテナ１０２は、ＦＭ放送およびＴＶのＶＨＦ帯域およびＵＨＦ帯域を受信するためのアンテナである。切換スイッチ１０４は、ＦＭ／ＴＶアンテナ１０２およびイヤホンコネクタ１０７と接続し、入力手段への入力内容に応じていずれかの線路（出力端）を選択的にＴＶ／ＦＭ受信部１０５と接続する。携帯電話機無線部１０６は、携帯電話機として機能する際に携帯電話用アンテナ１０１を介して送受信を行なう。
【０１０８】
次に、本実施形態の動作について説明する。
【０１０９】
携帯電話機１００の利用者が携帯電話として利用する際の動作は携帯電話機無線部１０６および携帯電話用アンテナ１０１によってのみ行なわれる。携帯電話機１００の利用者がＦＭ放送、ＴＶのＵＨＦ放送またはＶＨＦ放送の視聴や聴取を行なう場合、その放送波帯域に応じて切換スイッチ１０４が選択する線路（出力端）を切り換え、使用するアンテナをＦＭ／ＴＶアンテナ１０２かＶＨＦ帯用アンテナ内蔵イヤホン１０３のいずれかとする。これは、ＦＭ放送やＴＶのＶＨＦ帯のような低い周波数ではＶＨＦ帯用アンテナ内蔵イヤホン１０３の方がアンテナ特性が良く、ＴＶのＵＨＦ帯のような高い周波数ではＦＭ／ＴＶアンテナ１０２の方がアンテナ特性が良いためである。その理由を以下に示す。
【０１１０】
携帯電話機でより良いアンテナ特性を得るためには、受信する周波数の波長に対して、アンテナを含めてλ／２程度の筐体の長さが必要である。
【０１１１】
最近の一般的な小型携帯電話機の筐体長は、約十数ｃｍであるため、アンテナを含めると、筐体の長さは約２０ｃｍ程度となる。
【０１１２】
ＴＶのＵＨＦ帯域の周波数は４７０〜７７０ＭＨｚであるから、１波長で約６０〜４０ｃｍ、λ／２で約３０〜２０ｃｍ程度となり、周波数の波長に対してλ／２に近い筐体長を確保できる。
【０１１３】
また、ＦＭ放送やＴＶのＶＨＦ帯域の周波数は７６〜２２０ＭＨｚであるから、１波長で約４００〜１４０ｃｍ、λ／２で約２００〜７０ｃｍ程度となり、周波数の波長に対してλ／１０程度となってしまう為、アンテナ特性は劣化してしまう。
【０１１４】
一方、小型携帯電話機で使用されるイヤホンは、長さが約１００〜１５０ｃｍあり、λ／２に近い長さを確保できるため、イヤホンをアンテナとして使用するとＦＭ放送やＴＶのＶＨＦ帯域では、小型携帯電話機の筐体に内蔵、もしくは取付けられたＦＭ、ＴＶアンテナよりも、より良いアンテナ特性を得ることができる。
【０１１５】
逆に、イヤホンをＴＶのＵＨＦ帯域のアンテナとして使用すると、イヤホンの長さは、約５λ程度にもなり、逆相成分の電流により、多くのサイドローブが出てしまうため、アンテナの放射特性として好ましくない特性となる。
【０１１６】
移動することが前提の携帯電話機では、安定した受信状態を得るため、サイドローブの無い、よりブロードな放射特性が好ましい。
【０１１７】
以上により、本実施形態の構成により使用する周波数の波長によって、最適なアンテナを使用することが可能となり、良好な受信動作を行うことができる。
【０１１８】
さらに、ＴＶ／ＦＭ受信部１０５はＵＨＦ放送波のみの復調、ＶＨＦ放送波のみの復調を行なうものとしてもよい。
【０１１９】
切換スイッチ１０４の構成についていうと、機械的な切換えを行なうスイッチを使用してもよいが、これに限定されるものではなく電子的なスイッチを用いてもよい。各アンテナ線路に減衰器を設け、一方のアンテナからの信号は減衰させ、他方のアンテナからの信号は減衰させることなく通過させるなどにより、使用する信号のアンテナを選択することができ、切り換えスイッチ１０４として使用することができる。
【０１２０】
実施例８
図１４は本発明の第８の実施例の要部構成を示す図である。
【０１２１】
本実施例の携帯電話機２００を構成する、切換スイッチ２０４、ＴＶ／ＦＭ受信部２０５、携帯電話機無線部２０６、イヤホンコネクタ２０７および該イヤホンコネクタ２０７に接続されるＶＨＦ帯用アンテナ内蔵イヤホン２０３のそれぞれは、図１３に示した、切換スイッチ１０４、ＴＶ／ＦＭ受信部１０５、携帯電話機無線部１０６、イヤホンコネクタ１０７およびＶＨＦ帯用アンテナ内蔵イヤホン１０３と同様のものであるため、説明は省略する。
【０１２２】
本実施例においては、第７の実施例では携帯電話機の使用帯域の電波の送受信を行なうために用いられていた携帯電話用アンテナ１０１を、携帯電話機の使用帯域の電波の送受信に加えてＦＭ放送およびＴＶのＶＨＦ帯域およびＵＨＦ帯域を受信を行なう携帯電話／ＴＶ／ＦＭ共用アンテナ２０１としたものである。
【０１２３】
携帯電話／ＴＶ／ＦＭ共用アンテナ２０１のアンテナ出力は、携帯電話機無線部２０６における送受信動作をＴＶ／ＦＭ受信部における受信動作に用いられるが、携帯電話／ＴＶ／ＦＭ共用アンテナ２０１はＦＭ放送やＴＶ帯のような低い周波数（７７０ＭＨｚ以下）の放送波と携帯電話機が使用する高い周波数（８００ＭＨｚ以上）の無線波を送受信または受信するものであるため、携帯電話／ＴＶ／ＦＭ共用アンテナ２０１のアンテナ出力は周波数分配器２０８に送られ、ＦＭ放送やＴＶ帯のような低い周波数の放送波を切換スイッチ２０４に送出し、携帯電話機が使用する高い周波数の無線波を携帯電話機無線部２０６に送出する。これにより、携帯電話機無線部２０６とＴＶ／ＦＭ受信部２０６で相互干渉が生じることはない。この他の構成および動作は図１３に示した第７の実施例と同様である。
【０１２４】
上記のように構成される本実施例においては、最適なアンテナを使用して良好な受信動作を行うことができることに加えて、筐体内にある程度の長さを必要とするＦＭ放送やＴＶ用のアンテナを設ける必要がなくなり、装置構成を簡略化し、また、小型化することができる。
【０１２５】
実施例９
図１５は本発明の第９の実施例の要部構成を示す図である。
【０１２６】
本実施例の携帯電話機３００を構成する、携帯電話用アンテナ３０１、ＦＭ／ＴＶアンテナ３０２、切換スイッチ３０４、ＴＶ／ＦＭ受信部３０５、携帯電話機無線部３０６、イヤホンコネクタ３０７に接続されるＶＨＦ帯用アンテナ内蔵イヤホン３０３のそれぞれは、図１３に示した、携帯電話用アンテナ１０１、ＦＭ／ＴＶアンテナ１０２、切換スイッチ１０４、ＴＶ／ＦＭ受信部１０５、携帯電話機無線部１０６およびＶＨＦ帯用アンテナ内蔵イヤホン１０３と同様のものであるため、説明は省略する。
【０１２７】
本実施例は、これらの構成に加えて、イヤホンコネクタ３０７へのＶＨＦ帯用アンテナ内蔵イヤホン３０３の装着状態を検出し、該装着状態に応じて切換スイッチ３０４の切換状態を制御するイヤホン検出部３０８を設けたものである。
【０１２８】
本実施例におけるイヤホンコネクタ３０７は、ＶＨＦ帯用アンテナ内蔵イヤホン３０３が装着されているかを示す検出信号Ｓ３０１をイヤホン検出部３０８へ出力する。イヤホン検出部３０８は検出信号Ｓ３０１の他に、現在の携帯電話機３００の動作状態を示す信号（不図示）を入力し、携帯電話機３００がＴＶのＶＨＦ放送またはＦＭ放送を受信しており、また、検出信号Ｓ３０１がイヤホンコネクタ３０７にＶＨＦ帯用アンテナ内蔵イヤホン３０３が装着されていることを示すものである場合に切換スイッチ１０４が選択する線路をイヤホンコネクタ３０７と接続する線路に切り換える旨の切換信号Ｓ３０２を切換スイッチ３０４へ出力する。切換スイッチ３０４はこれに応じて、選択する線路をイヤホンコネクタ３０７と接続する線路とし、ＶＨＦ帯用アンテナ内蔵イヤホン３０３を使用した視聴が行なわれる。
【０１２９】
ＶＨＦ帯用アンテナ内蔵イヤホン３０３がイヤホンコネクタ３０７に接続されている状態で、ＴＶのＶＨＦ放送またはＦＭ放送を受信していることを示す信号がイヤホン検出部３０８に入力したときには、イヤホン検出部３０８は切換スイッチ３０４をＶＨＦ帯用アンテナ内蔵イヤホン３０３に切換える。また、ＶＨＦ帯用アンテナ内蔵イヤホン３０３がイヤホンコネクタ３０７に接続されている状態で、ＴＶのＵＨＦ放送を受信していることを示す信号がイヤホン検出部３０８に入力したときには、イヤホン検出部３０８は切換スイッチ３０４をＶＨＦ帯用アンテナ内蔵イヤホン３０３側に切換えず、ＦＭ／ＴＶアンテナ３０２に接続した状態とする。
【０１３０】
また、ＶＨＦ帯用アンテナ内蔵イヤホン３０３が接続されていない場合、イヤホン検出部３０８は切換スイッチ３０４をＶＨＦ帯用アンテナ内蔵イヤホン３０３側に切換えず、ＦＭ／ＴＶアンテナ３０２に接続した状態とすることとなる。したがって、この場合には、ＦＭ／ＴＶアンテナ３０２ですべての放送波を受信し、ＴＶ／ＦＭ受信部３０５に出力することとなる。
【０１３１】
上記のように構成される本実施例においては、最適なアンテナを使用して良好な受信動作を行うことができることに加えて、この動作が自動的に行われるため、利用者の使用性が向上したものとなる。
【０１３２】
上記のように構成される本実施例において、携帯電話機３００の状態に応じて受信動作に用いられるアンテナの種類を表５に示す。
【０１３３】
【表５】
2005176302.tif 000007
【０１３４】
実施例１０
図１６は本発明の第１０の実施例の要部構成を示す図である。
【０１３５】
本実施例の携帯電話機４００を構成する、携帯電話用アンテナ４０１、ＦＭ／ＴＶアンテナ４０２、切換スイッチ４０４、ＴＶ／ＦＭ受信部４０５、携帯電話機無線部４０６、イヤホンコネクタ４０７、イヤホンコネクタ４０７に接続されるＶＨＦ帯用アンテナ内蔵イヤホン４０３のそれぞれは、図１５に示した、携帯電話用アンテナ３０１、ＦＭ／ＴＶアンテナ３０２、切換スイッチ３０４、ＴＶ／ＦＭ受信部３０５、携帯電話機無線部３０６、イヤホンコネクタ３０７、ＶＨＦ帯用アンテナ内蔵イヤホン３０３と同様のものであるため、説明は省略する。
【０１３６】
本実施例においては、切換スイッチ４０４とＴＶ／ＦＭ受信部４０５との間にインピーダンス切換え部４０９が設けられている。インピーダンス切換え部４０９は、ＦＭ／ＴＶアンテナ４０４による受信を行なっているときと、ＶＨＦ帯用アンテナ内蔵イヤホン４０３による受信を行なっているそれぞれの状態において、受信状態を最適化するために設けられたもので、そのインピーダンスが切換可能に構成されている。
【０１３７】
本実施例におけるイヤホンコネクタ４０７は、ＶＨＦ帯用アンテナ内蔵イヤホン４０３が装着されているかを示す検出信号Ｓ４０１をイヤホン検出部４０８へ出力し、イヤホン検出部４０８は検出信号Ｓ４０１と、現在の携帯電話機４００の動作状態を示す信号に応じて切換信号Ｓ４０２を切換スイッチ４０４へ出力する。ここまでの動作は図１５に示した第９の実施例と同様であるが、本実施例におけるイヤホン検出部４０８は、切換信号Ｓ４０２と同じ内容の切換信号Ｓ４０３をインピーダンス切換え部４０９へ出力する。インピーダンス切換え部４０９は切換信号Ｓ４０３により現在切換スイッチ４０４により選択されている線路を検出し、アンテナとしてＦＭ／ＴＶアンテナ４０４、または、ＶＨＦ帯用アンテナ内蔵イヤホン４０３のいずれが使用されているかを認識し、使用されているアンテナに適したインピーダンスに切り換える。
【０１３８】
ＶＨＦ帯用アンテナ内蔵イヤホン４０３がイヤホンコネクタ４０７に接続されている状態で、ＴＶのＶＨＦ放送またはＦＭ放送を受信していることを示す信号がイヤホン検出部４０８に入力したときには、イヤホン検出部４０８は切換スイッチ４０４をＶＨＦ帯用アンテナ内蔵イヤホン４０３に切換える。また、ＶＨＦ帯用アンテナ内蔵イヤホン４０３がイヤホンコネクタ４０７に接続されている状態で、ＴＶのＵＨＦ放送を受信していることを示す信号がイヤホン検出部４０８に入力したときには、イヤホン検出部４０８は切換スイッチ４０４をＶＨＦ帯用アンテナ内蔵イヤホン４０３側に切換えず、ＦＭ／ＴＶアンテナ３９２に接続した状態とする。
【０１３９】
また、ＶＨＦ帯用アンテナ内蔵イヤホン４０３が接続されていない場合、イヤホン検出部４０８は切換スイッチ４０４をＶＨＦ帯用アンテナ内蔵イヤホン４０３側に切換えず、ＦＭ／ＴＶアンテナ４０２に接続した状態とすることとなる。したがって、この場合には、ＦＭ／ＴＶアンテナ４０２ですべての放送波を受信し、ＴＶ／ＦＭ受信部４０５に出力することとなる。
【０１４０】
上記のように構成される本実施例においては、最適なアンテナを使用して良好な受信動作を行うことができること、利用者の使用性が向上することに加えて、使用するアンテナの最適化を図ることができる。
【０１４１】
上記のように構成される本実施例において、携帯電話機４００の状態に応じて受信動作に用いられるアンテナの種類を表６に示す。
【０１４２】
【表６】
2005176302.tif 000008
【０１４３】
実施例１１
図１７は本発明の第１１の実施例の要部構成を示す図である。
【０１４４】
本実施例の携帯電話機５００を構成する、切換スイッチ５０４、ＴＶ／ＦＭ受信部５０５、携帯電話機無線部５０６、イヤホンコネクタ５０７および該イヤホンコネクタ５０７に接続されるＶＨＦ帯用アンテナ内蔵イヤホン５０３のそれぞれは、図１４に示した、切換スイッチ２０４、ＴＶ／ＦＭ受信部２０５、携帯電話機無線部２０６、イヤホンコネクタ２０７およびＶＨＦ帯用アンテナ内蔵イヤホン２０３と同様のものであるため、説明は省略する。
【０１４５】
本実施例においては、第８の実施例で携帯電話機の使用帯域の電波の送受信に加えてＦＭ放送およびＴＶのＶＨＦ帯域およびＵＨＦ帯域を受信を行なう携帯電話／ＴＶ／ＦＭ共用アンテナ２０１を携帯電話／ＴＶ／ＦＭ共用アンテナ５０１とし、周波数フィルタ５０９および第２のアンテナ５１０とともに第１ないし第６の実施例に示した選択的に使用される複数のアンテナが組み合わされたアンテナ装置を実現したものである。
【０１４６】
携帯電話／ＴＶ／ＦＭ共用アンテナ５０１には、図１に示したホイップアンテナ１や図２に示したホイップアンテナ１とヘリカルアンテナ６が組み合わされたものが用いられ、第２のアンテナ５１０には、図１に示したコイル状アンテナ２、図９に示したメアンダラインアンテナ７、図１０に示したメアンダ状アンテナ８が用いられる。
【０１４７】
携帯電話／ＴＶ／ＦＭ共用アンテナ５０１のアンテナ出力は、携帯電話機無線部５０６における送受信動作とＴＶ／ＦＭ受信部における受信動作に用いられるが、携帯電話／ＴＶ／ＦＭ共用アンテナ５０１はＦＭ放送やＴＶ帯のような低い周波数と、携帯電話機が使用する高い周波数を送受信または受信するものであるため、携帯電話／ＴＶ／ＦＭ共用アンテナ５０１のアンテナ出力（図１ないし図３および図８ないし図１２に示した給電部３に相当）は周波数分配器５０８に送られ、ＦＭ放送やＴＶ帯のような低い周波数と、携帯電話機が使用する高い周波数に分離される。周波数分配器５０８は、ＦＭ放送やＴＶ帯のような低い周波数を切換スイッチ５０４に送出し、携帯電話機が使用する高い周波数を携帯電話機無線部５０６に送出する。これにより、携帯電話機無線部５０６とＴＶ／ＦＭ受信部５０６で相互干渉が生じることはない。この他の構成および動作は図１４に示した第８の実施例と同様である。
【０１４８】
本実施例の携帯電話機５００では、利用者の選択動作により、ＵＨＦ帯域の信号はＶＨＦ帯用アンテナ内蔵イヤホン５０３の装着状態に関わらず携帯電話／ＴＶ／ＦＭ共用アンテナ５０１により受信される。ＶＨＦ帯域の信号は、ＶＨＦ帯用アンテナ内蔵イヤホン５０３が装着されている場合にはＶＨＦ帯用アンテナ内蔵イヤホン５０３により受信され、ＶＨＦ帯用アンテナ内蔵イヤホン５０３が装着されていない場合には携帯電話／ＴＶ／ＦＭ共用アンテナ５０１および第２のアンテナ５１０により受信される。
【０１４９】
上記のように構成される本実施例において、携帯電話機５００の状態に応じて受信動作に用いられるアンテナの種類を表７に示す。
【０１５０】
【表７】
2005176302.tif 000009
【０１５１】
上記のように構成される本実施例においては、イヤホンコネクタに接続されるイヤホンをアンテナとして使用する場合には、無線機に設けられるアンテナとイヤホンとの長さを異なるものとすることにより様々な電波に対応することが可能となり、複数放送波を良好に受信することができる効果がある。
【０１５２】
実施例１２
図１８は本発明の第１２の実施例の要部構成を示す図である。
【０１５３】
本実施例の携帯電話機６００を構成する、携帯電話用アンテナ６０１、ＦＭ／ＴＶアンテナ６０２、ＶＨＦ帯用アンテナ内蔵イヤホン６０３、切換スイッチ６０４、ＴＶ／ＦＭ受信部６０５、携帯電話機無線部６０６、イヤホンコネクタ６０７およびイヤホン検出部６０８のそれぞれは、図１５に示した、携帯電話用アンテナ３０１、ＦＭ／ＴＶアンテナ３０２、ＶＨＦ帯用アンテナ内蔵イヤホン３０３、切換スイッチ３０４、ＴＶ／ＦＭ受信部３０５、携帯電話機無線部３０６、イヤホンコネクタ３０７およびイヤホン検出部３０８と同様のものであるため、説明は省略する。
【０１５４】
本実施例においては、ＴＶ／ＦＭ受信部６０５が受信する放送波を指示し、また、イヤホン検出部６０８が出力する検出内容を示す信号Ｓ６０３を入力し、その内容に応じて使用するアンテナを切り換える切換信号Ｓ６０２を切換スイッチ６０４へ出力する制御部６０９が設けられている。
【０１５５】
ＶＨＦ帯用アンテナ内蔵イヤホン６０３がイヤホンコネクタ６０７に接続されていることをイヤホン検出部６０８で検出した場合、イヤホン検出部６０８はＶＨＦ帯用アンテナ内蔵イヤホン６０３がイヤホンコネクタに接続されていることを示す信号Ｓ６０３を制御部６０９に送る。制御部６０９は、ＶＨＦ帯用アンテナ内蔵イヤホン６０３がイヤホンコネクタに接続されていることを示す信号Ｓ６０３を受け取ると、ＴＶ／ＦＭ受信部６０５に対して受信するように指示している放送波を確認し、ＴＶのＶＨＦ放送またはＦＭ放送を受信するように指示している場合には、切換スイッチ６０４に対し、ＶＨＦ帯用アンテナ内蔵イヤホン６０３に切り換える旨の切換信号Ｓ６０２を送り、切換スイッチ６０４はＶＨＦ帯用アンテナ内蔵イヤホン６０３に切り換える。
【０１５６】
また、制御部６０９は、切換部としての動作をも行うもので、ＶＨＦ帯用アンテナ内蔵イヤホン６０３がイヤホンコネクタに接続されていることを示す信号Ｓ６０３を受け取ったときにＴＶのＵＨＦ放送を受信するように指示している場合には、切換スイッチ６０４に対し、ＦＭ／ＴＶアンテナ６０２に切り換える旨の切換信号Ｓ６０２を送り、切換スイッチ６０４はＦＭ／ＴＶアンテナ６０２側を維持する、あるいは、切り換え、ＶＨＦ帯用アンテナ内蔵イヤホン６０３側には切り換えない。
【０１５７】
ＶＨＦ帯用アンテナ内蔵イヤホン６０３がイヤホンコネクタに接続されていない場合は、制御部６０９は、切換スイッチ６０４に対し、ＦＭ／ＴＶアンテナ６０２に切り換える信号を送っており、切換スイッチ６０４はＦＭ／ＴＶアンテナ６０２側を維持する。この場合、ＦＭ／ＴＶアンテナ６０２ですべての放送波を受信しＴＶ／ＦＭ受信部６０５に出力することとなる。
【０１５８】
上記のように構成される本実施例において、携帯電話機６００の状態に応じて受信動作に用いられるアンテナの種類を表８に示す。
【０１５９】
【表８】
2005176302.tif 000010
【０１６０】
実施例１３
図１９は本発明の第１３の実施例の要部構成を示す図である。
【０１６１】
本実施例の携帯電話機７００を構成する、携帯電話用アンテナ７０１、ＦＭ／ＴＶアンテナ７０２、ＶＨＦ帯用アンテナ内蔵イヤホン７０３、切換スイッチ７０４、ＴＶ／ＦＭ受信部７０５、携帯電話機無線部７０６、イヤホンコネクタ７０７、イヤホン検出部７０８およびインピーダンス切換え部７０９のそれぞれは、図１６に示した、携帯電話用アンテナ４０１、ＦＭ／ＴＶアンテナ４０２、ＶＨＦ帯用アンテナ内蔵イヤホン４０３、切換スイッチ４０４、ＴＶ／ＦＭ受信部４０５、携帯電話機無線部４０６、イヤホンコネクタ４０７、イヤホン検出部４０８およびインピーダンス切換え部４０９と同様のものであるため、説明は省略する。
【０１６２】
本実施例においては、ＴＶ／ＦＭ受信部７０５が受信する放送波を指示し、また、イヤホン検出部７０８が出力する検出内容を示す信号Ｓ７０３を入力し、その内容に応じて使用するアンテナを切り換える切換信号Ｓ７０２を切換スイッチ７０４へ出力する制御部７０９が設けられている。
【０１６３】
ＶＨＦ帯用アンテナ内蔵イヤホン７０３がイヤホンコネクタ７０７に接続されていることをイヤホン検出部７０８で検出した場合、イヤホン検出部７０８はＶＨＦ帯用アンテナ内蔵イヤホン７０３がイヤホンコネクタに接続されていることを示す信号Ｓ７０３を制御部７０９に送る。制御部７０９は、ＶＨＦ帯用アンテナ内蔵イヤホン７０３がイヤホンコネクタに接続されていることを示す信号Ｓ７０３を受け取ると、ＴＶ／ＦＭ受信部７０５に対して受信するように指示している放送波を確認し、ＴＶのＶＨＦ放送またはＦＭ放送を受信するように指示している場合には、切換スイッチ７０４に対し、ＶＨＦ帯用アンテナ内蔵イヤホン７０３に切り換える旨の切換信号Ｓ７０２を送り、切換スイッチ７０４はＶＨＦ帯用アンテナ内蔵イヤホン７０３に切り換える。
【０１６４】
また、制御部７０９は、ＶＨＦ帯用アンテナ内蔵イヤホン７０３がイヤホンコネクタに接続されていることを示す信号Ｓ７０３を受け取ったときにＴＶのＵＨＦ放送を受信するように指示している場合には、切換スイッチ７０４に対し、ＦＭ／ＴＶアンテナ７０２に切り換える旨の切換信号Ｓ７０２を送り、切換スイッチ７０４はＦＭ／ＴＶアンテナ７０２側を維持する、あるいは、切り換え、ＶＨＦ帯用アンテナ内蔵イヤホン７０３側には切り換えない。
【０１６５】
ＶＨＦ帯用アンテナ内蔵イヤホン７０３がイヤホンコネクタに接続されていない場合は、制御部７０９は、切換スイッチ７０４に対し、ＦＭ／ＴＶアンテナ７０２に切り換える信号を送っており、切換スイッチ７０４はＦＭ／ＴＶアンテナ７０２側を維持する。この場合、ＦＭ／ＴＶアンテナ７０２ですべての放送波を受信しＴＶ／ＦＭ受信部７０５に出力することとなる。
【０１６６】
上記のように構成される本実施例において、携帯電話機７００の状態に応じて受信動作に用いられるアンテナの種類を表９に示す。
【０１６７】
【表９】
2005176302.tif 000011
【０１６８】
実施例１４
図２０は本発明の第１４の実施例の要部構成を示す図である。
【０１６９】
本実施例の携帯電話機８００を構成する、携帯電話／ＴＶ／ＦＭ共用アンテナ８０１、ＶＨＦ帯用アンテナ内蔵イヤホン８０３、切換スイッチ８０４、ＴＶ／ＦＭ受信部８０５、携帯電話機無線部８０６、イヤホンコネクタ８０７、周波数分配器８０８、周波数フィルタ８０９および第２のアンテナ８１０のそれぞれは、図１７に示した、携帯電話／ＴＶ／ＦＭ共用アンテナ５０１、ＶＨＦ帯用アンテナ内蔵イヤホン５０３、切換スイッチ５０４、ＴＶ／ＦＭ受信部５０５、携帯電話機無線部５０６、イヤホンコネクタ５０７、周波数分配器５０８、周波数フィルタ５０９および第２のアンテナ５１０と同様のものであるため、説明は省略する。
【０１７０】
本実施例は、上記の構成に加えて、イヤホンコネクタ８０７へのＶＨＦ帯用アンテナ内蔵イヤホン８０３の装着状態を検出するイヤホン検出部８１１と、ＴＶ／ＦＭ受信部８０５が受信する放送波を指示し、また、イヤホン検出部８１１の検出内容および現在受信している放送波に応じて切換スイッチ８０４の切換状態を制御する制御部８１２が設けられている。
【０１７１】
ＶＨＦ帯用アンテナ内蔵イヤホン８０３がイヤホンコネクタ８０７に接続されていることをイヤホン検出部８１１で検出した場合、イヤホン検出部８１１はＶＨＦ帯用アンテナ内蔵イヤホン８０３がイヤホンコネクタ８０７に接続されていることを示す信号を制御部８１２に送る。制御部８１２は、ＶＨＦ帯用アンテナ内蔵イヤホン８０３がイヤホンコネクタ８０７に接続されていることを示す信号を受け取ると、ＴＶ／ＦＭ受信部８０５に対して受信するように指示している放送波を確認し、ＴＶのＶＨＦ放送またはＦＭ放送を受信するように指示している場合には、切換スイッチ８０４に対し、ＶＨＦ帯用アンテナ内蔵イヤホン８０３に切り換える旨の切換信号を送り、切換スイッチ８０４はＶＨＦ帯用アンテナ内蔵イヤホン８０３側に切り換える。
【０１７２】
また、制御部８１２は、ＶＨＦ帯用アンテナ内蔵イヤホン８０３がイヤホンコネクタ８０７に接続されていることを示す信号を受け取ったときにＴＶのＵＨＦ放送を受信するように指示している場合には、切換スイッチ８０４に対し、周波数分配器８０８出力線路に切り換える旨の切換信号を送り、切換スイッチ８０４は携帯電話／ＴＶ／ＦＭ共用アンテナ８０１側を維持する、あるいは、切り換え、ＶＨＦ帯用アンテナ内蔵イヤホン８０３側には切り換えない。
【０１７３】
ＶＨＦ帯用アンテナ内蔵イヤホン８０３がイヤホンコネクタ８０７に接続されていない場合は、制御部８１２は、切換スイッチ８０４に対し、周波数分配器８０８に切り換える信号を送り、切換スイッチ８０４は周波数分配器８０８出力線路側を維持する。この場合、携帯電話／ＴＶ／ＦＭ共用アンテナ８０１ですべての放送波を受信しＴＶ／ＦＭ受信部８０５に出力することとなる。
【０１７４】
上記のように構成される本実施例において、携帯電話機８００の状態に応じて受信動作に用いられるアンテナの種類を表１０に示す。
【０１７５】
【表１０】
2005176302.tif 000012
【０１７６】
表９に示されるように、本実施例の携帯電話機８００では、ＵＨＦ帯域の信号はＶＨＦ帯用アンテナ内蔵イヤホン８０３の装着状態に関わらず携帯電話／ＴＶ／ＦＭ共用アンテナ８０１により受信される。ＶＨＦ帯域の信号は、ＶＨＦ帯用アンテナ内蔵イヤホン８０３が装着されている場合にはＶＨＦ帯用アンテナ内蔵イヤホン８０３により受信され、ＶＨＦ帯用アンテナ内蔵イヤホン８０３が装着されていない場合には携帯電話／ＴＶ／ＦＭ共用アンテナ８０１により受信される。
【０１７７】
なお、図１４、図１７および図２０に示した第８、第１１および第１４の実施例においては、携帯電話機に備えられるアンテナを携帯電話機の使用帯域の電波の送受信に加えてＦＭ放送およびＴＶのＶＨＦ帯域およびＵＨＦ帯域を受信を行なう携帯電話／ＴＶ／ＦＭ共用アンテナとし、周波数分配器によりＦＭ放送やＴＶ帯のような低い周波数と、携帯電話機が使用する高い周波数に分離し、ＦＭ放送やＴＶ帯のような低い周波数は切換スイッチへ出力し、携帯電話機が使用する高い周波数は携帯電話機無線部へ送出する構成としている。
【０１７８】
携帯電話機の使用帯域とＦＭ放送やＴＶ帯とが近いものである場合には、周波数分配器を設けることなく、携帯電話／ＴＶ／ＦＭ共用アンテナを直接切換スイッチおよび携帯電話機無線部に接続する構成としてもよい。このような構成とした場合には、構成を簡略化することができる。
【０１７９】
さらに、図１４、図１７および図２０に示した構成に加えて、携帯電話／ＴＶ／ＦＭ共用アンテナから周波数分配器を介することなく、直接切換スイッチに接続する線路を設け、選択されているＦＭ放送やＴＶ帯と携帯電話機の使用帯域との周波数差が予め定められているしきい値よりも大きければ分配器を介した出力を切換スイッチが選択し、選択されているＦＭ放送やＴＶ帯と携帯電話機の使用帯域との周波数差が予め定められているしきい値よりも小さければ携帯電話／ＴＶ／ＦＭ共用アンテナに接続する線路を切換スイッチが選択するように構成してもよい。このときしきい値による判別および切換制御は切換スイッチ自体が行うものとしてもよく、また、このような制御を行う制御部を設けることとしてもよい。
【０１８０】
なお、上述した実施例のいずれにおいても、ＴＶ放送波はデジタル放送波を含み、ＦＭ放送波はＦＭラジオ放送波を含む。
【図面の簡単な説明】
【０１８１】
【図１】本発明による第１の実施例の構成を示す斜視図である。
【図２】本発明による第２の実施例の構成を示す斜視図である。
【図３】本発明による第２の実施例の構成を示す斜視図である。
【図４】ホイップアンテナ１とヘリカルアンテナ６が組み合わされたアンテナの構造を示す断面図である。
【図５】ホイップアンテナ１とヘリカルアンテナ６が組み合わされたアンテナの構造を示す断面図である。
【図６】図４および図５中のホイップアンテナ１とヘリカルアンテナ６の接続構造を示す部分拡大断面図である。
【図７】ホイップアンテナ１とヘリカルアンテナ６が装着された携帯端末３１の内部構成を示す断面図である。
【図８】ホイップアンテナ１とヘリカルアンテナ６が装着された携帯端末３１の内部構成を示す断面図である。
【図９】本発明による第３の実施例の構成を示す斜視図である。
【図１０】本発明による第４の実施例の構成を示す斜視図である。
【図１１】本発明による第５の実施例の構成を示す斜視図である。
【図１２】本発明による第６の実施例の構成を示す斜視図である。
【図１３】本発明の第７の実施例の要部構成を示すブロック図である。
【図１４】本発明の第８の実施例の要部構成を示すブロック図である。
【図１５】本発明の第９の実施例の要部構成を示すブロック図である。
【図１６】本発明の第１０の実施例の要部構成を示すブロック図である。
【図１７】本発明の第１１の実施例の要部構成を示すブロック図である。
【図１８】本発明の第１２の実施例の要部構成を示すブロック図である。
【図１９】本発明の第１３の実施例の要部構成を示すブロック図である。
【図２０】本発明の第１４の実施例の要部構成を示すブロック図である。
【符号の説明】
【０１８２】
１    ホイップアンテナ
２    コイル状アンテナ
３    給電部
４    周波数フィルタ
５    接触金具
６    ヘリカルアンテナ
７    メアンダラインアンテナ
８    メアンダ状アンテナ
１０    装置基板
１００，２００，３００，４００，５００    携帯電話機
１０１，３０１，４０１    携帯電話用アンテナ
１０２，３０２，４０２    ＦＭ／ＴＶアンテナ
１０３，２０３，３０３，４０３，５０３    ＶＨＦ帯用アンテナ内蔵イヤホン
１０４，２０４，３０４，４０４，５０４    切換スイッチ
１０５，２０５，３０５，４０５，５０５    ＴＶ／ＦＭ受信部
１０６，２０６，３０６，４０６，５０６    携帯電話機無線部
１０７，２０７，３０７，４０７，５０７    イヤホンコネクタ
２０１，５０１    携帯電話／ＴＶ／ＦＭ共用アンテナ
２０８，５０８    周波数分配器
４０８，    イヤホン検出部
５０９    周波数フィルタ
５１０    第２のアンテナ
Ｓ３０１，Ｓ４０１    検出信号
Ｓ３０２，Ｓ４０２，Ｓ４０３    切換信号
【図１】
2005176302.tif 000013
【図２】
2005176302.tif 000014
【図３】
2005176302.tif 000015
【図４】
2005176302.tif 000016
【図５】
2005176302.tif 000017
【図６】
2005176302.tif 000018
【図７】
2005176302.tif 000019
【図８】
2005176302.tif 000020
【図９】
2005176302.tif 000021
【図１０】
2005176302.tif 000022
【図１１】
2005176302.tif 000023
【図１２】
2005176302.tif 000024
【図１３】
2005176302.tif 000025
【図１４】
2005176302.tif 000026
【図１５】
2005176302.tif 000027
【図１６】
2005176302.tif 000028
【図１７】
2005176302.tif 000029
【図１８】
2005176302.tif 000030
【図１９】
2005176302.tif 000031
【図２０】
2005176302.tif 000032